(57)【要約】      （修正有）【課題】石製の扉付香炉が石製部材の接着剤による組合せで形成されているために、経年変化によって接着部分が劣化し、香炉移動に際して接着部分が分離して香炉を破損することを防止する新規な香炉を提供する。【解決手段】前方開口部１１を有する香炉室を備え、台石部１２及び左右の側板石部１３及び天板石部１４（及び背板部）が単一石材で香炉本体１を形成するとともに、石材を組み合わせて形成した枠体３に、石材で形成した開閉体（扉体４又は引き戸体）を開閉自在に組み込んで開閉部材２を形成し、開閉部材を香炉本体の前方開口部に装着してなる。【選択図】図４
0003215142.tif 000002
【実用新案登録請求の範囲】
【請求項１】
前方開口部を有する香炉室を備え、台石部及び左右の側板石部及び天板石部が単一石材で香炉本体を形成し、石材を組み合わせて形成した枠体に、石材で形成した開閉体を開閉自在に組み込んで開閉部材を形成し、前記開閉部材を前記香炉本体の前方開口部に装着してなることを特徴とする墓用香炉。
【請求項２】
香炉本体に持ち上げ用の手掛かり部を設けてなる請求項１記載の墓用香炉。
【請求項３】
台石部及び天板部の前縁部分を前方に突出させ、当該突出部分の上下対向面に開閉部材を側方から差し入れ可能とした装着溝を設けてなる請求項１又は２記載の墓用香炉。
【請求項４】
香炉本体を、背面板部も一体に形成してなる請求項１乃至３記載の何れかの墓用香炉。
【請求項５】
開閉体が煽り開閉の扉体である請求項１乃至４記載の何れかの墓用香炉
【請求項６】
扉体の端縁上下に軸部を一体に形成し、枠体の上下辺部の所定位置に軸穴を形成し、軸部を軸穴に嵌合して扉体を開閉自自在としてなる請求項５記載の墓用香炉。
【請求項７】
開閉体が引き戸体である請求項１乃至４記載の何れかの墓用香炉。
【考案の詳細な説明】
【技術分野】
【０００１】
本考案は、墓の一部として設置される石材製の香炉に関するものである。
【背景技術】
【０００２】
墓用香炉としては種々の形態のものが知られているが、本考案の対象となるのは、石材製の扉付香炉と称されるタイプのものである。
【０００３】
扉付香炉は、台石の上面に両側板石及び背板石で香炉室内を形成するように囲繞し、前面側に扉板石を配し、天板石を載置して形成している。特に扉板石を煽り開閉する構造で組み込む場合には、扉板石に回動軸を一体に削り出しておき、台石上面及び天板石下面の適宜箇所に軸孔を形成し、天板石の載置で扉板石を回動自在に組み込んでいる（特許文献１）。
【０００４】
また扉板石を引き戸構造で組み込む場合には、台石上面及び天板石下面の前方箇所に引き戸用溝を形成し、天板石の載置で扉板石をスライド自在に組み込んでいる（特許文献２，３）。
【先行技術文献】
【特許文献】
【０００５】
【特許文献１】特開２０１７−１６６１５０号公報。
【特許文献２】特開２００６−２１４２５８号公報。
【特許文献３】特開２００７−３０３０６２号公報。
【考案の概要】
【考案が解決しようとする課題】
【０００６】
前記の墓石用香炉は、各部品を接着剤で接着して形成している。このため経年変化によって接着力が劣化して、破損する恐れがある。
【０００７】
特に香炉で納骨室の入り口の開閉を行う墓所においては、納骨のたびに香炉の移動が必要となり、移動に際しては天板石の左右の縁を以て香炉を持ち上げるので、天板石と側板石との接着が解かれて天板石が分離して破損することがしばしば見受けられる。
【０００８】
そこで本考案は、前記課題を解消する開閉扉や引き戸を備えた新規な墓用香炉を提案したものである。
【課題を解決するための手段】
【０００９】
本考案に係る墓石用香炉は、前方開口部を有する香炉室を備え、台石部及び左右の側板石部及び天板石部（及び背板）が単一石材で香炉本体を形成し、石材を組み合わせて形成した枠体に、石材で形成した開閉体（扉体又は引き戸体）を開閉自在に組み込んで開閉部材を形成し、前記開閉部材を前記香炉本体の前方開口部に装着してなることを特徴とするものである。
【００１０】
従って前記の墓用香炉は、開閉体（扉体又引き戸体）を備えた枠体を香炉本体に装着することで、香炉室の開閉機能を備えた墓用香炉が形成され、香炉本体が単一石材で形成されるので、香炉本体の分解破損が生じない。
【００１１】
また本考案の請求項２記載に係る墓用香炉は、特に香炉本体に持ち上げ用の手掛かり部を設けてなるもので、手掛かり部（天板石の側縁の突出部又は側板部の透孔）によって香炉本体の持ち上げ移動が容易になる。
【００１２】
また本考案の請求項３記載に係る墓用香炉は、特に台石部及び天板部の前縁部分を前方に突出させ、当該突出部分の上下対向面に開口部材を側方から差し入れ可能とした装着溝を設けてなるもので、装着溝によって開閉体を組み入れた開口部材が香炉前方への離脱が防止され、特に開閉体が煽り開閉の扉体の場合に、開閉動作によって枠体に対して前方へ引っ張る力が加わっても離脱防止の抵抗耐力を備えることになる。
【考案の効果】
【００１３】
本考案の墓用香炉の構成は上記のとおり、枠体及び開閉体の組み合わせで形成される開閉部材を一体形成の香炉本体に装着してなるもので、移動に際して持ち上げられる香炉本体が一体の石材であるために経年変化による分離破損が無く、永年使用に耐え得るものとなる。
【図面の簡単な説明】
【００１４】
【図１】本考案の実施形態の全体図（扉体の閉口状態）。
【図２】同図（扉体の開口状態）。
【図３】同開閉部材の分解斜視図。
【図４】同開閉部材の装着説明図。
【考案を実施するための形態】
【００１５】
次に本考案の実施形態について説明をする。実施形態に示した墓用香炉は、単一の石材を切削加工して形成した香炉本体１と、所定の部材（枠体３及び扉体４）で組み立てられた開閉部材２で構成される。
【００１６】
香炉本体１は、単一石材を前面側から香炉室部分を刳り貫き切除して形成したもので、前方開口部１１を有する香炉室、台石部１２、左右の側板石部１３、天板石部１４及び背板部１５を備えるものである。尚背板部１５は単一石材による一体形成とせずに、香炉室背面に嵌め込み方式を採用しても良い。
【００１７】
また特に側面部の上方に透孔（手掛かり部）１３１或いは天板石部１４の両側部分を張りして突出部（手掛かり部）１４１を設け、更に側板石部１３の前縁を後退させて、台石部１２及び天板石部１４の前縁部分が前方へ突出する状態に形成し、当該突出部分の上下対向面に、後述する開閉部材２が側方から差し入れ可能とした装着溝１２１、１４２を設ける。
【００１８】
開閉部材２は、枠体３と扉体（開閉体）４を組み合わせて形成されるもので、石材からなる上下辺部３１，３２及び左右縦杆部３３，３４を枠状に組み立てて（接着剤による接着）枠体３とし、特に前記上下辺部３１，３２の左右端の対向面には予め軸穴３５を設けておく。
【００１９】
扉体４は、適宜な透き模様４１を設けた石材製の板体で、端縁上下に軸部４２を一体に形成し、前記の上下辺部３１，３２の軸穴３５に軸部４２を嵌合して枠体３を組み上げて扉体４を開閉自自在とした開閉部材２を形成するものである。
【００２０】
全の開閉部材２は、香炉本体１の前面側方から装着溝１２１、１４２に差し入れ、接着剤等を使用して香炉室の前面に配置固定するものである。
【００２１】
而して前記の墓用香炉は墓石における所定箇所に配置して使用するもので、従前の扉付香炉と同様に扉体４で香炉室の開閉がなされるもので、特に香炉の移動に際しては手掛り部（透孔１３１又は突出部１４１）を持って行うもので、香炉本体１が一体の石材で形成されているので、接着箇所に負担が加わらず、接着剤の劣化による破損が生じない。
【００２２】
尚前記の実施形態は開閉体として扉体４を例示したが、枠体３内に引き戸構成の開閉体を組み込むようにしても良い。
【符号の説明】
【００２３】
１      香炉本体
１１    前方開口部
１２    台石部
１２１    装着溝
１３    側板石部
１３１    透孔（手掛かり部）
１４    天板石部
１４１    突出部（手掛かり部）
１４２    装着溝
１５    背板部
２      開閉部材
３      枠体
３１    上辺部
３２    下辺部
３３，３４    縦杆部
３５    軸穴
４      扉体（開閉体）
４１    透き模様
４２    軸部
【図１】
0003215142.tif 000003
【図２】
0003215142.tif 000004
【図３】
0003215142.tif 000005
【図４】
0003215142.tif 000006